(57)【要約】【課題】  デジタルカメラの小型化に伴い、テレ／ワイドコンバージョンレンズを取り付け可能にするレンズアダプタをカメラに装着すると、レンズアダプタの底面がカメラ本体の底面より更に出っ張るため、カメラを三脚等に固定することが出来なくなるという不具合が生じていた。【解決手段】  カメラ本体に装着するレンズアダプタにおいて、前記カメラ本体底面と接触しない第一の位置と、前記カメラ本体底面と接触する第二の位置に移動可能なスペーサを有し、前記スペーサには前記第二の位置にあるときに、前記カメラ本体底部に設けられた三脚ねじを塞がないように孔もしくは切り欠きが設けられていることを特徴とする。【選択図】  図１
2009015190.tif 000002
【特許請求の範囲】
【請求項１】
カメラ本体（１００）の撮影レンズ（１０６）に補助光学系（２０１）を接続するためのレンズアダプタ装置（３００ａ、３００ｂ）において、前記カメラ本体は底部に三脚（４００）に固定するためのねじ部（１０７）を有しており、前記レンズアダプタ装置は前記カメラ本体の底面と接触しない第一の位置（図７、図９）と、前記カメラ本体の底面と接触する第二の位置（図８、図１０）に移動可能なスペーサ（３０１ａ、３０１ｂ）を有し、前記スペーサは前記第二の位置にあるときに、前記ねじ部を塞がない孔部を形成していることを特徴とするレンズアダプタ装置。
【請求項２】
前記レンズアダプタ装置は前記カメラ本体に装着されている状態において、前記カメラ本体の底部よりも突出していることを特徴とする請求項１に記載のレンズアダプタ装置。
【請求項３】
前記スペーサは前記第一の位置と、前記第二の位置とをスライド移動可能に取り付けられていることを特徴とする請求項１又は２に記載のレンズアダプタ装置。
【請求項４】
前記スペーサは前記第一の位置と、前記第二の位置とを回転可能に取り付けられていることを特徴とする請求項１又は２に記載のレンズアダプタ装置。
【請求項５】
前記レンズアダプタ装置と前記カメラ本体はバヨネット構造で取り付けられていることを特徴とする請求項１〜４に記載のレンズアダプタ装置。
【請求項６】
前記スペーサは、前記第一の位置にあるときに、前記カメラ本体に対し前記レンズアダプタ装置を回転させるのを妨げないように取り付けられていることを特徴とする請求項１〜５に記載のレンズアダプタ装置。
【発明の詳細な説明】
【技術分野】
【０００１】
本発明は、カメラ本体の撮影レンズ前面に補助レンズを接続するためのレンズアダプタ装置とアダプタ装置を取り付けるカメラ本体に関するものである。特に、レンズアダプタ装置をカメラ本体に装着した状態でカメラ本体を三脚等に無理なく固定するためのレンズアダプタ装置に関する発明である。
【背景技術】
【０００２】
近年、電子技術の発展により非常に高性能なカメラが安価で小型・軽量な形で作れるようになってきている。また操作性も格段に向上し、撮影オン（ＯＮ）／オフ（ＯＦＦ）の操作をするだけで撮影することができ、初心者にも容易に撮影が可能になっている。
【０００３】
一方、撮影する画角を広い範囲で自分の意志に従って選定したいとか、顕微鏡或は望遠鏡による像を撮影したいといった上級ユーザーからは、マクロレンズ或いはテレ／ワイドコンバーターのような補助レンズの要求も多く、これに対応した製品化がなされている。このような補助レンズをカメラ本体に取り付ける場合には、カメラ本体にマウントアダプタを取り付け、そこに補助レンズを取り付ける。このような小型のカメラに補助レンズを取り付けるための発明として、特許文献１ではカメラ本体のデザインに制約を与えることなく、低コストでコンパクトなレンズアダプタ装置が提案されている。
【特許文献１】特開２００５−１５６７６５号公報
【発明の開示】
【発明が解決しようとする課題】
【０００４】
しかしながら、カメラが小型で軽量になったり、手持ち撮影が楽になる反面、手振れ写真を撮る危険性も高くなる。光学技術の進歩により、より高倍率のレンズ（ズームレンズの場合そのテレ「望遠」端が非常に高倍率となる）が使用される様になり、振れが一層目立ち易くなる。そのため望遠撮影或いは夜景撮影時等にはカメラ本体を三脚等に固定して撮影することが望まれる。一方、高実装密度化で本体の小型化が進む中で、撮影レンズは高倍率化の影響で大型化してきており、結果カメラ本体に対して鏡筒が大きくなってきている。
【０００５】
このような小型のカメラにレンズアダプタを取り付けようとした場合、カメラ本体底面より、レンズアダプタの底面が突出してしまい、カメラをうまく三脚に固定できない不具合が生じていた。
【０００６】
そこで、本発明は、カメラ本体の底面より突出してしまうような大きなレンズアダプタを取り付けてもカメラを三脚に取り付けることが出来るコンパクトなレンズアダプタを提供することにある。
【課題を解決するための手段】
【０００７】
上記目的を達成するため、本発明は、カメラ本体の撮影レンズの前面に補助光学系を接続するためのレンズアダプタ装置とカメラ本体において、前記カメラ本体は底部に三脚に固定するためのねじ部を有しており、前記レンズアダプタ装置は前記カメラ本体底面と接触しない第一の位置と、前記カメラ本体底面と接触する第二の位置に移動可能なスペーサを有し、前記スペーサは前記第二の位置にあるときに、前記ねじ部を塞がない開口部を形成していることとした。
【発明の効果】
【０００８】
本発明は上述した構成によって、カメラ本体が小型になり、レンズアダプタ装置が底面より突出してしまうような場合でもカメラ本体を三脚に取り付けることが可能になる。
【発明を実施するための最良の形態】
【０００９】
（第１の実施形態）
次に、添付図面を参照しながら本発明に適用されるレンズアダプタ装置の実施の形態について説明する。図１は本発明に適用される第１の実施形態のレンズアダプタ装置３００ａと外部レンズ２０１（補助光学系）とを接続し、カメラ本体１００に取り付けて、三脚４００に固定した状態の断面図である。図１において、１０１はカメラ本体１００のシャッターを切るためのレリーズボタンである。カメラ本体１００正面には光学系の処理を行うためのレンズ鏡筒ユニット１０５が配置されている。鏡筒の根元部分はバヨネット構造になっており、バヨネットリング２０２が着脱可能に取り付けてある。底部には三脚４００に固定するための三脚固定用ねじ部１０７が形成されている。レンズアダプタ装置３００ａはカメラ本体１００に装着された状態において、カメラ本体１００の底部と接触する位置と接触しない収納位置とで移動可能なスペーサ３０１ａを有している。このスペーサ３０１ａにはカメラ本体１００の三脚固定用ねじ部１０７を塞がないように、孔部３０２ａが設けられている。この孔部３０２ａを通してカメラ本体１００と三脚４００とを固定可能になっている。
【００１０】
図２、図３は本実施の形態のレンズアダプタ３００ａを装着するカメラ本体１００の正面斜視図と断面図となっている。カメラ本体１００には、電源のＯＮ／ＯＦＦを切り替えるパワーボタン１０２、撮影する範囲の確認を行うためのファインダ１０３、暗所での撮影を補助するためのストロボ１０４、被写体像を生成する撮影レンズ１０６を備えている。
【００１１】
図４、図５はカメラ本体１００を三脚４００に固定した状態の正面斜視図と断面図である。カメラ本体１００に何も装着されていない状態においては、カメラ本体１００底部より突出しているものがないため、問題なく三脚４００に固定することが出来る。
【００１２】
図６は従来までのレンズアダプタ装置２００と外部レンズ２０１を接続し、カメラ本体１００に装着した状態の断面図である。この状態においてはカメラ本体１００の底部よりもレンズアダプタ装置２００が突出しているため、三脚にカメラ本体１００を固定する際に不具合が生じる。
【００１３】
図７、図８は本発明に適用される第１の実施形態のレンズアダプタ装置３００ａをカメラ本体１００に装着した状態での断面図であり、図７はスペーサ３０１ａが収納されている第一の位置にある状態を示している。第一の位置にあるときに、カメラ本体１００に対しレンズアダプタ装置３００ａを回転させるのを妨げないように取り付けられている。図８はスペーサ３０１ａがカメラ本体１００底部に接触し、三脚４００に取り付け可能な第二の位置にある状態を示している。第１の実施形態のレンズアダプタ装置３００ａのスペーサ３０１ａは第一の位置と第二の位置とをスライド移動可能に取り付けられている。そして、第二の位置に移動した際にカメラ本体１００に設けられた三脚固定用ねじ部１０７を塞がないように孔部３０２ａが設けられている。
【００１４】
以上より第１の実施形態によれば、レンズアダプタ装置３００ａにスライド移動可能に、スペーサ３０１ａを取り付けてあるため、カメラ本体１００が小型になる。また、レンズアダプタ装置３００ａが底面より突出してしまうような場合でもカメラ本体１００を三脚４００に取り付けることが可能になった。
【００１５】
（第２の実施形態）
第１の実施形態ではスペーサ３０１ａはスライド移動可能に取り付けられているとしていたが、操作を容易にするために回転可能に取り付けられていてもよい。図９、図１０は本発明に適用される第二の実施形態のレンズアダプタ装置３００ｂをカメラ本体１００に装着した状態での断面図である。図９はスペーサ３０１ｂが収納されている第一の位置にある状態を示しており、図１０はスペーサ３０１ｂがカメラ本体１００底部に接触し、三脚４００に取り付け可能な第二の位置にある状態を示している。第２の実施形態のレンズアダプタ装置３００ｂのスペーサ３０１ｂは回転軸３０３を中心にして第一の位置と第二の位置とを回転可能に取り付けられている。また、第二の位置に移動した際にカメラ本体１００に設けられた三脚固定用ねじ部１０７を塞がないように孔部３０２ｂが設けられている。
【図面の簡単な説明】
【００１６】
【図１】本発明に適用される第一の実施形態のレンズアダプタ装置の断面図
【図２】カメラ本体の斜視図
【図３】カメラ本体の断面図
【図４】カメラ本体を三脚に取り付けた場合の斜視図
【図５】カメラ本体を三脚に取り付けた場合の断面図
【図６】カメラ本体に従来のレンズアダプタを取り付けた場合の断面図
【図７】本発明に適用される第１の実施形態のレンズアダプタ装置の断面図
【図８】本発明に適用される第１の実施形態のレンズアダプタ装置の断面図
【図９】本発明に適用される第２の実施形態のレンズアダプタ装置の断面図
【図１０】本発明に適用される第２の実施形態のレンズアダプタ装置の断面図
【符号の説明】
【００１７】
１００  本発明に適用される撮像装置
１０５  レンズ鏡筒ユニット
１０６  撮像レンズ
１０７  三脚ねじ
２００  従来のレンズアダプタ
２０１  外部レンズ
２０２  バヨネットリング
１０５  レンズ鏡筒ユニット
３００ａ  第１の実施形態のレンズアダプタ
３０１ａ  第１の実施形態のスペーサ
３０２ａ  第１の実施形態のスペーサの孔部
３００ｂ  第２の実施形態のレンズアダプタ
３０１ｂ  第２の実施形態のスペーサ
３０２ｂ  第２の実施形態のスペーサの孔部
４００  三脚の雲台
４０１  三脚の脚部
４０２  三脚の固定孔
【図１】
2009015190.tif 000003
【図２】
2009015190.tif 000004
【図３】
2009015190.tif 000005
【図４】
2009015190.tif 000006
【図５】
2009015190.tif 000007
【図６】
2009015190.tif 000008
【図７】
2009015190.tif 000009
【図８】
2009015190.tif 000010
【図９】
2009015190.tif 000011
【図１０】
2009015190.tif 000012